(57)【特許請求の範囲】
【請求項１】
背凭れを、脚フレームに設けた管状をなす背凭れ支持フレームに取付けてなる椅子における背凭れ取付構造において、
前記背凭れ支持フレームにおける背凭れ取付部の端部の中空孔内に、軸線方向の一方の端面を傾斜面とした軸状の第１連結部材と、前記背凭れに、軸線回りに回り止めして設けられ、かつ前記第１連結部材と対向する端面が前記傾斜面と同じ角度の傾斜面とされた軸状の第２連結部材とを、傾斜面同士を当接させて遊嵌し、前記背凭れの背面側より挿入した連結ボルトを、前記第２連結部材を遊通させて、前記第１連結部材に設けためねじ孔に螺合させて締め付け、前記両連結部材を互いの傾斜面に沿って反対方向に摺動させることにより、両連結部材の外周面を背凭れ支持フレームの内面に圧接させて、背凭れを背凭れ支持フレームに連結したことを特徴とする椅子における背凭れ取付構造。
【請求項２】
背凭れ支持フレームが、脚フレームから後向きに延出するものとして、この背凭れ支持フレームの後端部の中空孔に、第１及び第２連結部材を、それらの傾斜面同士が上下に対向して当接するように遊嵌してなる請求項１記載の椅子における背凭れ取付構造。
【請求項３】
背凭れ支持フレームが、脚フレームの後部より上向きに延出するものとして、この背凭れ支持フレームの上端部の中空孔に、第１及び第２連結部材を、それらの傾斜面同士が前後に対向して当接するように遊嵌してなる請求項１記載の椅子における背凭れ取付構造。
【請求項４】
第１及び第２連結部材の傾斜面の軸線に対する傾斜角度を、ほぼ４０度としてなる請求項１〜３のいずれかに記載の椅子における背凭れ取付構造。
【請求項５】
第２連結部材を背凭れと別体として、その傾斜面と反対側の端部を、背凭れにおける連結ボルトの挿通部に設けたボス部内に、回り止めして嵌合し、かつ前記ボス部の外径を、前記背凭れ支持フレームの外径とほぼ同径としてなる請求項１〜４のいずれかに記載の椅子における背凭れ取付構造。
【請求項６】
第１連結部材と背凭れのボス部に嵌合した第２連結部材とを、共に金属製としてなる請求項５記載の椅子における背凭れ取付構造。
【発明の詳細な説明】
【技術分野】
【０００１】
本発明は、背凭れを、脚フレームに設けた管状をなす背凭れ支持フレームに取付けるようにした椅子における背凭れ取付構造に関する。
【背景技術】
【０００２】
従来の背凭れの取付構造としては、背凭れ(背シェル)の左右両側部に、ジョイント部材の後部を、前方に突出するようにねじにより固定し、このジョイント部材の突出部を、パイプよりなる左右の肘掛け部の後端部に嵌合し、肘掛け部とジョイント部材とをねじにより固定したもの(例えば特許文献１参照)や、パイプよりなる左右１対の脚フレームと一体をなす肘掛け部の後端部に、左右方向を向く筒状取付部を設け、この左右の筒状取付部に、背凭れの左右両側部を、ボルトとナットにより固定したもの(例えば特許文献２参照)などがある。
【先行技術文献】
【特許文献】
【０００３】
【特許文献１】特許第４１０８３２２号公報
【特許文献２】特開２００６−１３６５６９号公報
【発明の概要】
【発明が解決しようとする課題】
【０００４】
上記特許文献１に記載されている背凭れの取付構造においては、ジョイント部材を背凭れにねじ止めしたり、肘掛け部とそれに嵌合したジョイント部材とをねじ止めしたりする必要があるので、背凭れと肘掛け部との連結作業に手間がかかる。
また、背凭れにめねじ孔を形成したり、肘掛け部にねじの挿通孔を加工したりする必要があるので、椅子のコストが大となり、かつ、肘掛け部の外周面にねじの頭部が露呈するので、体裁も悪い。
【０００５】
特許文献２に記載のものにおいては、パイプよりなる左右の肘掛け部の後端に、別部材である筒状取付部を溶接等により固着したり、この筒状取付部の側端に、背凭れの側部の取付筒部に嵌合させて位置決めするための小径の円形突部を設けたりする必要があるので、椅子のコストが大となる。
【０００６】
本発明は、上記問題点に鑑みてなされたもので、背凭れを、管状をなす背凭れ支持フレームに、簡単な手段で容易に、かつ体裁よく取付けうるようにした、椅子における背凭れ取付構造を提供することを目的としている。
【課題を解決するための手段】
【０００７】
本発明によると、上記課題は、次の各項のようにして解決される。
（１）背凭れを、脚フレームに設けた管状をなす背凭れ支持フレームに取付けてなる椅子における背凭れ取付構造において、前記背凭れ支持フレームにおける背凭れ取付部の端部の中空孔内に、軸線方向の一方の端面を傾斜面とした軸状の第１連結部材と、前記背凭れに、軸線回りに回り止めして設けられ、かつ前記第１連結部材と対向する端面が前記傾斜面と同じ角度の傾斜面とされた軸状の第２連結部材とを、傾斜面同士を当接させて遊嵌し、前記背凭れの背面側より挿入した連結ボルトを、前記第２連結部材を遊通させて、前記第１連結部材に設けためねじ孔に螺合させて締め付け、前記両連結部材を互いの傾斜面に沿って反対方向に摺動させることにより、両連結部材の外周面を背凭れ支持フレームの内面に圧接させて、背凭れを背凭れ支持フレームに連結する。
【０００８】
このような構成とすると、単に背凭れ側より挿入した連結ボルトを、第２連結部材を遊通させて、第１連結部材に設けためねじ孔に螺合させて締め付け、両連結部材を互いの傾斜面に沿って相対的に摺動させるだけで、両連結部材が背凭れ支持フレームの内面に圧接し、その際の摩擦抵抗により、両連結部材が背凭れ支持フレームより抜け外れるのが防止される。
従って、背凭れ支持フレームには何らの加工を施すことなく、背凭れを、背凭れ支持フレームに、簡単な手段で容易に、かつ強固に取付けることができる。
また、連結部にねじ等の固定手段が露呈しないので、椅子の体裁もよくなる。
【０００９】
（２）上記(１)項において、背凭れ支持フレームが、脚フレームから後向きに延出するものとして、この背凭れ支持フレームの後端部の中空孔に、第１及び第２連結部材を、それらの傾斜面同士が上下に対向して当接するように遊嵌する。
【００１０】
このような構成とすると、背凭れに加わる上下方向の荷重を、第１、第２連結部材の上下に対向する傾斜面により効果的に受支することができる。
【００１１】
（３）上記(１)項において、背凭れ支持フレームが、脚フレームの後部より上向きに延出するものとして、この背凭れ支持フレームの上端部の中空孔に、第１及び第２連結部材を、それらの傾斜面同士が前後に対向して当接するように遊嵌する。
【００１２】
このような構成とすると、背凭れに加わる前後方向の荷重を、第１、第２連結部材の前後に対向する傾斜面により効果的に受支することができる。
【００１３】
（４）上記(１)〜(３)項のいずれかにおいて、第１及び第２連結部材の傾斜面の軸線に対する傾斜角度を、ほぼ４０度とする。
【００１４】
このような構成とすると、両連結部材の傾斜面に軸線に対する傾斜角度が比較的小さいので、連結ボルトを締め付けた際に、両連結部材が傾斜面に沿って相対的に摺動し易くなるとともに、互いの接触面積が大となるので、背凭れと背凭れ支持フレームとの連結強度が大となる。特に、接触面積が大となると、請求項２及び３に記載の発明においては、背凭れに加わる荷重を、両連結部材の傾斜面により、より効果的に受支することができる。
また、傾斜角度を４０度とすると、両連結部材における傾斜面形成部の肉厚があまり小さくならないので、両連結部材の強度が損なわれる恐れがない。
【００１５】
（５）上記(１)〜(４)項のいずれかにおいて、第２連結部材を背凭れと別体として、その傾斜面と反対側の端部を、背凭れにおける連結ボルトの挿通部に設けたボス部内に、回り止めして嵌合し、かつ前記ボス部の外径を、前記背凭れ支持フレームの外径とほぼ同径とする。
【００１６】
このような構成とすると、第２連結部材を背凭れと別体としたことにより、第１、第２連結部材を、例えば背凭れの材質と異なる強度の大きな材料で製作しうるので、背凭れと背凭れ支持フレームとの連結部の強度を大とすることができる。
また、ボス部と背凭れ支持フレームと外径をほぼ同径としてあるので、背凭れと背凭れ支持フレームとの連結部に段差が形成されず、それらが一体感を呈して見栄えが向上する。
【００１７】
（６）上記(５)項において、第１連結部材と背凭れのボス部に嵌合した第２連結部材とを、共に金属製とする。
【００１８】
このような構成とすると、背凭れと背凭れ支持フレームとの連結部に大きな剪断力が作用しても、連結部の強度が問題となることはない。
【発明の効果】
【００１９】
本発明の背凭れの取付構造によれば、背凭れを、管状をなす背凭れ支持フレームに、簡単な手段で容易に、かつ体裁よく取付けることができる。
【図面の簡単な説明】
【００２０】
【図１】本発明の一実施形態を適用した椅子の正面図である。
【図２】同じく、側面図である。
【図３】同じく、斜め後下方より見た斜視図である。
【図４】同じく、分解斜視図である。
【図５】背凭れと肘掛け部との連結部の拡大分解斜視図である。
【図６】同じく、背凭れと肘掛け部との連結部の拡大縦断側面図である。
【図７】図６のＶＩーＶＩ線縦断正面図である。
【図８】図３のＶＩＩＩーＶＩＩＩ線に沿う拡大縦断側面視図である。
【図９】本発明を、形状の異なる椅子に適用した斜視図である。
【発明を実施するための形態】
【００２１】
以下、本発明の実施形態を、図面に基づいて説明する。
図１は、本発明の一実施形態を適用した椅子の正面図、図２は、同じく側面図、図３は、椅子を斜め後下方より見た斜視図、図４は、椅子の分解斜視図で、椅子は、全てが管状、すなわちパイプよりなる脚フレーム１と、座体２と、背凭れ３とを備えている。
【００２２】
脚フレーム１は、平面視前向きコ字状(以下、図２の右方を前として説明する)のベース脚４と、このベース脚４の前端より若干後ろ上方に向かって起立し、上下方向の中間部の対向面同士が横杆５により連結された左右１対の前脚６、６とからなり、横杆５の両側部後面には、平面視前向きコ字状をなす座支持フレーム７の前端が、溶接等により固着されている。
座支持フレーム７よりも上方において左右の前脚６、６の上端には、背凭れ３取付用の背凭れ支持フレームを兼ねる後方に向かって円弧状に湾曲する左右１対の肘掛け部８、８が、一体的に連設され、この両肘掛け部８には、エラストマー等よりなる軟質の肘当て９、９が取付けられている。
【００２３】
座体２は、上記座支持フレーム７の上面に固定された平面視方形皿状をなす合成樹脂製の底部カバー板１０と、この底部カバー板１０の上面にねじ止めされた合成樹脂製の座板１１と、この座板１１の上面に取付けられた座クッション１２とからなっている。
【００２４】
背凭れ３は、合成樹脂よりなる枠状の背フレーム１３と、この背フレーム１３に、その前面を覆うようにして張設されたメッシュ状の張り材１４とからなっている。
図５の拡大図にも示すように、背フレーム１３における左右の側部フレーム１３ａ、１３ａの上下方向の中間部、すなわち、左右の肘掛け部８、８の後端と対向する位置には、外向突部１５、１５が一体的に連設され、この外向突部１５、１５の外側端部には、上述した肘掛け部８に連結するための前後方向を向くボス部１６、１６が、一体的に形成されている。
【００２５】
図６の拡大縦断面図に示すように、ボス部１６の内部には、中間部の小径孔１７ａと、それを挟む両側において前後両方向に開口する大径孔１７ｂ、１７ｂとからなる前後方向を向く段付孔１７が形成されている。なお、この段付孔１７は、後記する連結ボルト２２の挿通孔を兼ねている。
前部の大径孔１７ｂの内面上部には、上向きに凹入する前後方向を向く凹溝１８が形成されている。
【００２６】
背フレーム１３における下部フレーム１３ｂの左右方向の中央部下面には、前方を向くとともに、前端部に座支持フレーム７の後面下部に当接可能な円弧状の当接片１９ａを有する下部連結板１９が突設されている(図８参照)。
【００２７】
図４及び図５の拡大図に示すように、左右のボス部１６、１６と肘掛け部８、８とは、金属製の前後２個ずつの第１連結部材２０及び第２連結部材２１と、ボス部１６の通孔１７に後方より挿入される連結ボルト２２とにより連結されるようになっている(詳細は後述する)。
【００２８】
図６の拡大断面図にも示すように、前側の第１連結部材２０は、円筒形の素材における前端部を除いた部分を、前上面から後下面に向かって斜め後ろ下方に切除することにより、前端部を除いた後上面が、斜め上下方向を向く傾斜面２３とされた側面視概ね楔状断面をなし、前端部の円筒部の中心には、前後方向を向くめねじ孔２４が形成されている。第１連結部材２０の前端部の外径は、パイプよりなる肘掛け部８の後端部の内径よりも若干小径とされている。
【００２９】
後側の第２連結部材２１は、円筒形の素材における後端部を除いた部分を、後下面から前上面に向かって斜め前上方に切除することにより、後端部を除いた前下面が、上記第１連結部材２０の傾斜面２３と同じ傾斜角度の斜め上下方向を向く傾斜面２５とされた側面視概ね楔状断面をなし、かつ第２連結部材２１の後端面には、小径突部２６が突設されている。第２連結部材２１の外径は、肘掛け部８の内径よりも若干小径とされ、中心には、連結ボルト２２が余裕をもって遊通される挿通孔２７が、小径突部２６を貫通するようにして穿設されている。
【００３０】
第１、第２連結部材２０、２１の傾斜面２３、２５の軸線に対する傾斜角度は、両連結部材２０、２１が傾斜面２３、２５に沿って相対的に摺動し易く、かつ互いの接触面積が比較的大となるように、本実施形態ではほぼ４０度としてある。この傾斜角度を４０度よりも大きくすると、両両連結部材２０、２１を連結ボルト２２により締め付けた際に、それらが傾斜面２３、２５に沿って相対的に摺動しにくくなり、また４０度より小さくすると、両連結部材２０、２１の傾斜面形成部が、先端部ほど薄肉となって強度が低下するので好ましくない。
【００３１】
小径突部２６は、ボス部１６に設けた前部の大径孔１７ｂに嵌合しうる外径とされ、その外周面の上部には、大径孔１７ｂに設けた凹溝１８に嵌合される突条２８が突設され、大径孔１７ｂに嵌合された第２連結部材２１が回り止めされるようになっている。
【００３２】
背フレーム１３を左右の肘掛け部８に取付けるには、まず、左右のボス部１６の前部の大径孔１７ｂに、後部の第２連結部材２１の小径突部２６を、それらの凹溝１８と突条２８とを整合させながら嵌合し、左右のボス部１６に対し第２連結部材２１を回り止めする。
【００３３】
ついで、左右のボス部１６の後部側の大径孔１７ｂより挿入した連結ボルト２２を、第２連結部材２１の挿通孔２７に遊通して前方に突出させ、その突出端部に、前側の第１連結部材２０を螺合し、両連結部材２０、２１の傾斜面２３、２５同士を突き合わせた状態で、それらを、左右の肘掛け部８の後端部の中空孔内に、ボス部１６の前端が肘掛け部８の後端と当接するまで左右同時に挿入する(図６参照)。
【００３４】
この状態で、左右の連結ボルト２２を強く締め付けると、左右の肘掛け部８内において、前後の連結部材２０、２１同士が、それらの傾斜面２３、２５に沿って、図６の矢印のように互いに上下反対方向に摺動することにより、両連結部材２０、２１は、肘掛け部８の内面に強く圧接する。この際に生じる大きな摩擦抵抗により、両連結部材２０、２１は、肘掛け部８より抜け外れるのが防止され、背フレーム１３の上下方向の中間部が、左右の肘掛け部８の後端部に強固に連結される。なお、後部の第２連結部材２１は、ボス部１６に対し回り止めされ、かつ前部の第１連結部材２０は、その傾斜面２３が後部の第２連結部材２１の傾斜面２５と当接しているので、肘掛け部８内において位置決めされるとともに、連結ボルト２２を回動させて締め付ける際に、それと一緒に前部の第１連結部材２０が回動する恐れはない。また、両連結部材２０、２１の傾斜面２３、２５を、ほぼ４０度としてあるので、連結ボルト２２を締め付けた際に、両連結部材２０、２１が上下反対方向に摺動し易くなる。
【００３５】
前後の連結部材２０、２１は、ほぼ４０度の傾斜面２３、２５同士で当接し、互いの接触面積が大きく、かつ傾斜面２３、２５同士は上下に対向して当接しているので、背凭れ３に加わる上下方向の荷重を、前後の連結部材２０、２１の傾斜面２３、２５により効果的に受支することができる。
また、背フレーム１３のボス部１６と、肘掛け部８とは、実質的に金属製の第２連結部材２１を介して連結されているので、肘掛け部８とボス部１６との連結部に大きな剪断力が作用しても、連結強度が問題となることはない。
【００３６】
図３に示すように、背フレーム１３の下部連結板１９の前半部は、底部カバー板１０の後端部上面の中央部に形成された下向きの凹部２９(図４参照)を介して、底部カバー板１０と座板１１との間に挿入されている。
図８に示すように、底部カバー板１０と座板１１間において、下部連結板１９の前端部の円弧状の当接片１９ａの上面は、座支持フレーム７の後面下部に当接または近接させてある。このようにすると、背凭れ３に凭れ掛けた際に、その下半部が左右のボス部１６、１６を支点として前上方に移動しようとする動きを、座支持フレーム７の後面下部により規制することができる。
【００３７】
座板１１における凹部２９と対向する後端部の下面には、下方に開口する中空孔３０を有する左右１対の円筒突部３１が、下向きに突設され、両円筒突部３１の下端部は、下部連結板１９に穿設された左右の通孔３２、３２に嵌合され、背凭れ３の下端部が後方に移動するのが規制されている。
【００３８】
左右の円筒突部３１、３１の中空孔３０には、底部カバー板１０の凹部２９の
上面に突設した左右１対の凸軸３３、３３が、下方より嵌合され、座板１１に対し底部カバー板１０の後端部を前後左右に位置決めすることにより、座板１１への底部カバー板１０の他の部分のねじ止め作業を容易に行うことができる。
【００３９】
以上説明したように、上記実施形態においては、対向面を傾斜面２３、２５とした前後の連結部材２０、２１を、パイプよりなる左右の肘掛け部８の後端部に挿入し、背フレーム１３における中間部の左右のボス部１６に後方より挿入した連結ボルト２２を、前部の第１連結部材２０のめねじ孔２４に螺合させて締付けると、両連結部材２０、２１が互いの傾斜面２３、２５に沿って相対的に摺動して肘掛け部８の内面に圧接し、その際の摩擦抵抗により、両連結部材２０、２１が肘掛け部８より抜け外れるのが防止される。
従って、パイプよりなる肘掛け部８に何らの加工を施すことなく、背フレーム１３の両側部を、左右の肘掛け部８に、簡単な手段で容易に、かつ強固に取付けることができ、安価な椅子を提供しうる。
また、連結部にねじが露呈しないので、椅子の体裁もよくなる。
【００４０】
なお、上記実施形態においては、第２連結部材２１を、背フレーム１３と別体をなすものとしたが、外向突部１５に一体的に突設することもある。
また、上記実施形態では、背フレーム１３の左右の側部レーム１３ａを、背凭れ支持フレームである左右の肘掛け部８に連結してあるが、背フレーム１３の下部フレーム１３ｂの両側部にボス部１６を設けて、背凭れ３の下端部を肘掛け部８に連結することもある。
【００４１】
さらに、上記実施形態では、パイプよりなる脚フレーム１と一体をなす左右の肘掛け部８を背凭れ支持フレームとして、その後端部に、背凭れ３における背フレーム１３の両側部を取付けているが、例えば図９に示す椅子のように、座体３４が取付けられた側面視後向き倒立Ｌ字状をなす左右１対のパイプよりなる前脚３５、３５の後端に、上下方向を向くパイプよりなる後脚３６、３６の中間部を固着し、両後脚３６を背凭れ支持フレームとして、その上端部に、上記実施形態と同様の連結部材２０、２１と連結ボルト２２(いずれも図示略)を用いて、背凭れ３６の中間部の左右両側部を連結することもできる。
この際には、背凭れ３７の両側面に、ボス部３８、３８を、後脚３６と対向するように上下方向に向けて設けるとともに、両連結部材２０、２１を上下方向に向けて、後脚３６の上端部に挿入すればよい。また、両連結部材２０、２１の傾斜面２３、２５同士が前後に対向して当接するようにし、背凭れ３７に加わる前後方向の荷重を、両連結部材２０、２１の傾斜面２３、２５により効果的に受け止められるようにするのがよい。
【００４２】
本発明は、背凭れ支持フレームである肘掛け部８、及び後脚３６が、上記パイプ以外の管状をなすもの、例えば楕円形や角筒形断面等の非円形をなすものにも適用することができる。
【符号の説明】
【００４３】
１  脚フレーム
２  座体
３  背凭れ
４  ベース脚
５  横杆
６  前脚
７  座支持フレーム
８  肘掛け部(背凭れ支持フレーム)
９  肘当て
１０  底部カバー板
１１  座板
１２  座クッション
１３  背フレーム
１３ａ側部フレーム
１３ｂ下部フレーム
１４  張り材
１５  外向突部
１６  ボス部
１７  段付孔
１７ａ小径孔
１７ｂ大径孔
１８  凹溝
１９  下部連結板
１９ａ当接片
２０  第１連結部材
２１  第２連結部材
２２  連結ボルト
２３  傾斜面
２４  めねじ孔
２５  傾斜面
２６  小径突部
２７  挿通孔
２８  突条
２９  凹部
３０  中空孔
３１  円筒突部
３２  通孔
３３  凸軸
３４  座体
３５  前脚
３６  後脚(背凭れ支持フレーム)
３７  背凭れ
３８  ボス部
【図１】
0005635277.tif 000002
【図２】
0005635277.tif 000003
【図３】
0005635277.tif 000004
【図４】
0005635277.tif 000005
【図５】
0005635277.tif 000006
【図６】
0005635277.tif 000007
【図７】
0005635277.tif 000008
【図８】
0005635277.tif 000009
【図９】
0005635277.tif 000010